(57)【要約】【課題】確実に設置でき、簡単な操作で、希望通りの誘導ができ、かつ安全に使用しうるベッド用柵を提供すること。【解決手段】本発明のベッド用柵は、図５において、固定用部材と可動部材に設けられる間欠回転機構における間欠回転嵌合部の構造であり、嵌合部３１に挿入され、一部露出した誘導部材３３に可動嵌合部３２を弾性部材３４を介して挿入したものであり、該嵌合部３１と可動嵌合部３２の対向部端には、それぞれ嵌合し得るジグザグ歯型３５を有している。またこの可動嵌合部３２の他端は、閉口部を有し、該閉口部の中心には、締め付けネジ９０を通す孔３７が設けられている。この孔３７の径は、ネジ本体９２の径より大きく、またこの内面は平滑である。更に前記誘導部材３３の上面にはネジ孔３８を有し、ネジ本体９２と係合する。また締め付けネジ９０は、頭部９３にネジ本体９２を有する。【選択図】  図１        
2005230302.tif 000002
【特許請求の範囲】
【請求項１】
（イ）垂直脚の一方の上部に間欠回転機構を有する固定用部材及び（ロ）前記固定用部材に連接され、他端に有する垂直脚の上部に間欠回転機構を有する可動部材、及び（ハ）前記可動部材に連接する案内部材からなるベッド用柵において、前記間欠回転機構が、垂直脚内に誘導部材が露出固定された嵌合部と該誘導部材の露出部と嵌合し得る可動嵌合部とからなり、前記嵌合部と可動嵌合部の一端は対向して噛み合うジグザグ歯型を有し、誘導部材の端部には、中心部にネジ孔を有し、また前記可動嵌合部の閉口部の中心部には貫通孔を有しており、これらは可動嵌合部内に弾性部材を挿入後、誘導部材に挿入し、締め付けネジで誘導部材のネジ孔に係合し、締め付けることによりジグザグ歯型同士が係合し得ることを特徴とするベッド用柵。
【請求項２】
前記誘導部材が内蜜状であることを特徴とする請求項１に記載のベッド用柵。
【請求項３】
前記弾性部材が中心に貫通孔を有していることを特徴とする請求項１又は請求項２に記載のベッド用柵。
【請求項４】
前記弾性部材がらせん形バネであることを特徴とする請求項３に記載のベッド用柵。
【請求項５】
前記案内部材がワ字形状であることを特徴とする請求項１乃至請求項４のいずれかに記載のベッド用柵。
【請求項６】
請求項１乃至請求項５のいずれかに記載のベッド用柵に取付けた補助ケースであって、上部が開放された底の浅い箱の側壁に取り付け部を有することを特徴とするベッド柵取付用補助ケース。
【発明の詳細な説明】
【技術分野】
【０００１】
本発明は、間欠回転機構を柵間に有するベッド用柵に関し、更に詳しくは本発明は、確実に設置でき、簡単な操作で、希望通りの使い方ができ、かつ安全に使用しうる、間欠回転機構を柵間に有するベッド用柵に関するものである。
【背景技術】
【０００２】
近年、ベビーブームが去って、今や高齢化社会が到来し、老人・身体障害者など体が不自由な多くの人達が介護施設で生活しているが、介護施設が足りないことは勿論のこと、このような施設に入れない多くの人達は、家庭での介護を余儀なくされている。特に老人・身体障害者などが、自らベッドから立ち上がる時、大変な努力をして立ち上がろうとして、体をひねり骨折したり、無理して手足に力を入れて立って転倒する等の事故に繋がる場合が多く見られる。また老人などはトイレに行く回数が多いが、介護する近親の人達は、夜中にその都度、起こされて（又は起こして）トイレに連れて行くことになり、介護期間中は心身共に疲れ果ててしまうのが現状である。一方、夜間は、老人におむつをして過ごす方法もあるが、意識のある老人側からみれば、最も屈辱的なことであり問題も多い。このような観点から最近では、各種のベッド補助製品が販売されているが、その中でも、スイングアーム介助バー  ＫＡ−０９５（商品名、パラマウントベッド株式会社製）が販売されており、このものは、ベッドサイドに取り付けられる柵の側部に可動自在の柵状のスイングアームを取付けた介助バーが開示されている（非特許文献１参照）。また柵状の着脱サイドレールの脚の部分からベッド方向に直角に突き出た嵌合部に挿入されたＰ型手摺り移動バーが嵌合されており、老人などがベッドから起き上がるとき、この移動バーを持って起き上がり該移動バーを移動させてベッドから降りるようにして使用されることが開示されている（非特許文献２参照）。
【非特許文献１】パラマウントベッド株式会社製、（株）ハートウェル発行「おもいやりの和泉」Ｖｏｌ．１２、Ｐ６〜７、２００３年２月末現在。
【非特許文献２】フランスベッド発行の取扱い説明書、マルチ移動支援バーＳＥ−０７、ＳＥ−０８参照
【発明の開示】
【発明が解決しようとする課題】
【０００３】
しかしながら、前述のごとき非特許文献１及び２に記載の製品は、いずれも老人が比較的元気な時に使用されるように設計されており、老人が体を捻じることができない状態の人や手足が不自由な人には適当できない。そこで、本発明者は、老人が体を捻じることができない状態の人や手足が不自由な人であっても、老人自ら又は介護者の立場に立って、老人側からみれば、自らの使用動作が簡単にでき、かつ安全に使用できるものであり、また介護者からみれば、取付けが簡単で、かつ確実であることを課題として検討したところ、固定用部材に可動部材と案内部材を着脱自在に取り付けることにより、確実に設置でき、簡単な操作で、希望通りは誘導ができ、かつ安全に使用しうるベッド用柵が得られることを見出し、ここに本発明をなすに至った。したがって、本発明が解決しようとする課題は、確実に設置でき、簡単な操作で、可動部材や案内部材の回転角度の調整を容易に行うことができ、希望通りの誘導ができ、かつ安全に使用しうるベッド用柵を提供することにある。
【課題を解決するための手段】
【０００４】
本発明の上記課題は、以下の各発明によってそれぞれ達成される。
（１）（イ）垂直脚の一方の上部に間欠回転機構を有する固定用部材及び（ロ）前記固定用部材に連接され、他端に有する垂直脚の上部に間欠回転機構を有する可動部材、及び（ハ）前記可動部材に連接する案内部材からなるベッド用柵において、前記間欠回転機構が、垂直脚内に誘導部材が露出固定された嵌合部と該誘導部材の露出部と嵌合し得る可動嵌合部とからなり、前記嵌合部と可動嵌合部の一端は対向して噛み合うジグザグ歯型を有し、誘導部材の端部には、中心部にネジ孔を有し、また前記可動嵌合部の閉口部の中心部には貫通孔を有しており、これらは可動嵌合部内に弾性部材を挿入後、誘導部材に挿入し、締め付けネジで誘導部材のネジ孔に係合し、締め付けることによりジグザグ歯型同士が係合し得ることを特徴とするベッド用柵。
（２）前記誘導部材が内蜜状であることを特徴とする前記第１項に記載のベッド用柵。
（３）前記弾性部材が中心に貫通孔を有していることを特徴とする前記第１項又は第２項に記載のベッド用柵。
（４）前記弾性部材がらせん形バネであることを特徴とする前記第３項に記載のベッド用柵。
（５）前記案内部材がワ字形状であることを特徴とする前記第１項乃至第４項のいずれかに記載のベッド用柵。
（６）前記第１項乃至第５項のいずれかに記載のベッド用柵に取付けた補助ケースであって、上部が開放された底の浅い箱の側壁に取り付け部を有することを特徴とするベッド柵取付用補助ケース。
【発明の効果】
【０００５】
本発明によれば、（１）（イ）垂直脚の一方の上部に間欠回転機構を有する固定用部材及び（ロ）前記固定用部材に連接され、他端に有する垂直脚の上部に間欠回転機構を有する可動部材、及び（ハ）前記可動部材に連接する案内部材からなるベッド用柵において、前記間欠回転機構が、垂直脚内に誘導部材が露出固定された嵌合部と該誘導部材の露出部と嵌合し得る可動嵌合部とからなり、前記嵌合部と可動嵌合部の一端は対向して噛み合うジグザグ歯型を有し、誘導部材の端部には、中心部にネジ孔を有し、また前記可動嵌合部の閉口部の中心部には貫通孔を有しており、これらは可動嵌合部内に弾性部材を挿入後、誘導部材に挿入し、締め付けネジで誘導部材のネジ孔に係合し、締め付けることによりジグザグ歯型同士が係合し得ることを特徴とするもので、これにより確実に設置でき、簡単な操作で、可動部材や案内部材の回転角度の調整を容易に行うことができ、希望通りの誘導ができ、かつ安全に使用しうるという格別顕著な効果を奏するものである。
（２）前記誘導部材が内蜜状であることにより、安定したかつ頑丈なベッド用柵が得られる。
（３）前記弾性部材が中心に貫通孔を有していることにより、らせん形状でなくても孔にボルトを通すことができ、らせん形バネと同様に使用することができる。
（４）前記弾性部材がらせん形バネであることにより、ボルト本体が誘導部材に係合する際、バネ内部を通すことができる。
（５）前記案内部材がワ字形状であることにより、ベッドから起き上がるときやベッドから降りるときまた該案内部材の手すりを持ちながら歩くがことが極めて容易であるという優れた効果を奏するものである。
（６）前記第１項乃至第５項のいずれかに記載のベッド用柵に取付けた補助ケースであって、上部が開放された底の浅い箱の側壁に取り付け部を有することにより、簡単に取り付けができ、またテッシュペーパー、体温計、薬、メモなどを置いておくことができる。
【発明を実施するための最良の形態】
【０００６】
以下、本発明を図面を用いて具体的に説明するが、本発明は、以下に説明する具体的事例に限定されるものではない。図１は、本発明の可動部材並びに案内部材を有するベッド用柵の全体を示す断面図である。図２は、案内部材を示す断面図である。図３は、案内部材の別の例を示断面図である。図４は、案内部材の更に別のを示す断面図である。図１において、固定用部材Ｉは、支持台１４に搭載された垂直部脚２ａ及び水平部２ｂを有するＬ形部材２と上部にソケット１０を有する垂直脚７を有し、前記Ｌ形部材２の水平部２ｂに平行に設けられた水平部材６からなり、前記水平部２ｂの端部に係合部９を有し、前記水平部材６の端部は間欠回転嵌合部３０を有する垂直脚７に固定されており、これら水平部２ｂと水平部材６との間には支持部材１２を有するものからなる。上記係合部９の上端と間欠回転嵌合部３０内の誘導部材３３の上面との間の間隔は、ｈ1 である。更にこの固定用部材Ｉの係合部９は可動部材ＩＩの水平部４の一端に設けられた垂直部４ａと嵌合すると共に、垂直部脚７の上部は、間欠回転嵌合部３０により接続している。更に安全部材ＩＩＩを同様に垂直部５ａ及び垂直部脚８の上部に設けられた間欠回転嵌合部４０により嵌合接続される。また垂直部脚８の底部にはアジャスター１９を有しており、このアジャスター１９によって固定用部材Ｉの取付け後の可動部材ＩＩの垂直部脚８の高さの調整を行うことができる。本発明に用いられる可動部材ＩＩは、一端に垂直部４ａを有し、他端に係合部１８を有する水平部４と一端に可動嵌合部３２を有し、他端に垂直部脚８の上部に設けられた嵌合部３１を有する水平部３とが支持部材１５により連接されている。前記の係合部１８の上面と誘導部材３３の上面との間の間隔は、ｈ2 である。このような可動部材ＩＩは、固定用部材Ｉの係合部９及び間欠回転嵌合部３０の嵌合部３１にそれぞれ垂直部４ａ及び可動嵌合部３２を嵌合して用いる。この際、嵌合部３１と可動嵌合部３２は、間欠回転機構を構成している。
【０００７】
本発明で用いられる案内部材ＩＩＩには、図２乃至図４に示される如く、各種の形態があり、被介護者の様態により適宜必要に応じて選択して使用される。図２は、７字形状の案内部材であり、具体的には、１本の管状部材を短い垂直部５ａ、水平部５ｂ、垂直部５ｃ、傾斜部５ｄ及び垂直部５ｅが形成されるように加工されている。この際、短い垂直部５ａの下端と垂直部５ｅの下端との間隔はｈ3 である。このように、これらの間隔は、ｈ1 ＝ｈ2 ＝ｈ3  である。また垂直部５ａの端部には、案内部材ＩＩＩは取り付け後、蓋を有していてもよい。また図３は、別の形態の案内部材を示す断面図であり、この案内部材ＩＶは、ワの字状の管状部材５からなり、具体的には、垂直部５ａ、水平部５ｂ、垂直部５ｃ、及び５ｄからなり、垂直部５ａは、水平部５ｂに接続されている。５ｄは更に傾斜部５ｄ1  、水平部５ｄ2  を有し、更に垂直部脚８に設けられた嵌合部３１に嵌合する可動嵌合部３２（又は５ｅ）からなる。図４は、更に別の形態の案内部材を示す断面図であり、この案内部材Ｖはフの字状の管状部材５からなり、具体的には、図３と同様に垂直部５ａ、水平部５ｂ、垂直部５ｃ、及び５ｄからなり、垂直部５ａは、水平部５ｂに接続されている。５ｄは更に傾斜部５ｄ1  、水平部５ｄ2  を有し、更に垂直部脚８に設けられた嵌合部３１に嵌合する可動嵌合部３２（又は５ｅ）からなるが、異なる点は、５ｃで示される形状であり、図４では、曲形状（好ましくは１００Ｒがよい。）である。このような曲形状５ｃを有することにより、患者が握り易いという利点がある。
図２乃至図４に示されるように、案内部材ＩＩＩの垂直部５ｅの先端部は、前記の可動部材ＩＩの水平部３の端部に設けられた可動嵌合部３２と同様に、可動嵌合部３２を有し、該下端部には波型３５ａが形成されている。これと係合すべく垂直部脚８の上面は、可動嵌合部３２の波型に対応して形成された波型を有する嵌合部３１を有し、これら可動嵌合部３２と嵌合部３１とが嵌合して間欠回転機構を形成する。前記の案内部材ＩＩＩは、通常は、可動部材ＩＩの係合部１８に嵌合して使用されるが、必要に応じて直接、固定用部材Ｉの係合部９に案内部材ＩＩＩの垂直部５ｅを嵌合して用いることもできる。即ち、重度の軽い老人の場合には、可動部材ＩＩの代わりに安全部材ＩＩＩを嵌合接続して使用することが好ましい。本発明では、前記の如き間欠回転機構を用いることにより可動部材ＩＩ並びに安全部材ＩＩＩの角度を適宜の角度に回転することができる。
【０００８】
図５は、本発明の間欠回転機構である間欠回転嵌合部を示す断面図である。図５において、間欠回転嵌合部は、嵌合部３１に挿入され、一部露出した誘導部材３３に可動嵌合部３２を弾性部材３４を介して挿入したものであり、該嵌合部３１と可動嵌合部３２の対向部端には、それぞれ嵌合し得るジグザグ歯型３５を有している。またこの可動嵌合部３２の他端は、閉口部を有し、該閉口部の中心には、締め付けネジ９０を通す孔３７が設けられている。この孔３７の径は、締め付けネジ９０のネジ本体９２の径より大きいことが好ましく、またこの内面は平滑であることが好ましい。更に前記誘導部材３３の上面にはネジ孔３８を有し、ネジ本体９２と係合する。また締め付けネジ９０は、頭部９３にネジ本体９２を有し、更に頭部９３の下部にはネジ本体９２と同芯円状の補強部９１が形成されている。この補強部９１は締め付けネジ９０を締め終わった時のスペーサーの役割を果たす（図６のイ参照）。本発明では、締め付けネジ９０の頭部９３の径は、可動嵌合部３２の径とほぼ同じか又は僅かに大きい方がよい。本発明で用いられる誘導部材３３は、嵌合部３１との間で固定されており、具体的には金属接着材又は溶接等により固定される。またこの誘導部材は、中実又は中空体のいずれを用いて形成してもよく、これらには、中心にネジ孔３８が設けられる。例えば、管状体の如く中空体である場合には、一端は閉口され、閉口部の中心にネジ孔３８が設けられる。また本発明で用いられる弾性部材には、天然ゴムや合成ゴム等、板バネ、らせん形状バネ等のいずれの形態でもよい。
【０００９】
図６は、本発明で用いられる締め付けネジの各種の形態を示す断面図である。図６において、図６のイは、頭部９３には、補強部９１を有し、該補強部の中心にネジ本体が設けられている。この場合、補強部９１はネジ締めの停止の作用を有する。いわゆる停止部材として機能している。即ち、可動嵌合部２の上面がこの停止部材に接触する時点でネジの締め付けが停止される。図６のロは、図６のイに示される締め付けネジ９０の頭部に更に回転停止部９５を設けたものであり、これにより可動嵌合部３２の上面がこの回転停止部９５に接触する時点でネジの締め付けが停止される。更に図６のハは、頭部９３にフランジ形状の回転停止部９６を設けたものであり、これにより可動嵌合部３２の上面がこの回転停止部９５に接触する時点でネジの締め付けが停止される。本発明の間欠回転嵌合部は、図１に示される如き、可動部材並びに案内部材を有するベッド柵に適用される。即ち、図１に示されるベッド柵において、間欠回転嵌合部は、符号３０及び４０で示される部分に少なくとも一部に使用される。本発明において、更に符号４０の位置に取り付けて使用した場合について更に説明すると、図１に示されるワの字形状を有する案内部材ＩＶの管状枠５ｄの端部と管状の可動嵌合部３２の側部とが接合されており、該可動嵌合部３２の下端の周囲はジグザグ歯型３５ａが形成されている。また垂直部脚８の上端の周囲はジグザグ歯型３５ｂが形成されており、前記可動嵌合部のジグザグ歯型３５ａと対向して係合するように厳密にジグザグ歯型３５ｂが形成されている。更にこの垂直部脚８の上端には、誘導部材３３が一部露出して設けられ、該誘導部材３３と垂直部脚８とは、金属接着剤等で接合（３６）されている。このように形成された垂直部脚８の誘導部材３３に、らせん形バネ３４を導入した可動嵌合部３２を挿入し、締め付けネジ９０で可動嵌合部３２の孔３７に通して誘導部材３３のネジ孔３８にネジ本体９２の先端９４をあてがい、該ネジ９０を締め付けて係合する。この締め付けで可動嵌合部３２は、下方へ移動しかつ波型嵌合部同士３５と勘合する。その時点で頭部９３に設けられている補強部９１の作用でネジの回転が停止する。したがって、案内部材ＩＶの角度を適宜の位置に調節してから締め付けネジ９を廻して締め付け固定することができるので、介護者にとって簡単に操作でき、かつ取り扱いが容易である。
【００１０】
本発明に用いられる固定用部材、可動部材、及びワ字型などの形状の案内部材の形状は、特に限定されないが、好ましくは管状体がよく、またこれらの材質は、鉄製、合金、プラスチック、木材等が用いられ、強度等を考慮すると鉄製が好ましい。また管状体の直径は、強度さえ保たれれば、特に制限されないが、老人等が持ち易い方が好ましく、２５〜３５ｍｍが好ましい。またＬ形部材２及び７の字形状部材５の管状体の表面には、プラスチックで覆われていることが好ましく、この覆いは、樹脂塗料、樹脂フィルム等の形態で設けることができる。これにより鉄又は金属製である管状体の感触（冷たさや滑りやすさの少ない）が良好となる。また本発明では、係合部とソケット部によって、可動部材ＩＩ及び案内部材ＩＩＩを所望の角度にしかも間欠的に回転させることができるので、自由に希望する個所へ行けるように調整することができる。したがって、昼間は、ベッドの保護柵として使用し、また夜間は、ベッドの側に置いたトイレ等に案内又は誘導するための案内手摺りとしても使用できるので、これにより老人等は、このベッド柵を使用して自分で無理なく起き上がり、案内部材ＩＩＩを手摺りとしてこれを伝わってトイレまで行き着くことができる。更に老人等は、ベッドから起き上がる際、ワの字形状の案内部材ＩＩＩの垂直部５ｃを手で握って起き上がり、かつ自らこの案内部材ＩＩＩの角度をベッドサイドへ押して、そこで立ち上がる等の行動をすることができる。この垂直部５ｃの長さは、適宜の長さにして最も持ち易い長さを選択することは、簡単な試行により適宜成し得る常套手段である。
【００１１】
図７は、本発明のベッド用柵の取手の使用例を示す断面図である。図７のａは、固定用部材Ｉに対して、可動部材ＩＩ及び案内部材ＩＩＩを動かした場合を示す上面図である。をベッド柵の取手（固定用部材Ｉ、可動部材ＩＩ及び案内部材ＩＩＩの上方のＬ型部材２、３、５を別名、取手ともいう。）を可動部材ＩＩ及び案内部材ＩＩＩを真っ直ぐに伸ばして（１８０°）使用する例を示したもので、固定用部材Ｉに対して、角度を９０°からそれぞれ３０°ずつ間欠的に回転させて移動した場合で使用する場合を示している。図７のｂは、可動部材ＩＩと案内部材ＩＩＩとの角度をそれぞれの角度に調整した場合の上面図である。（１）は、固定用部材Ｉに対して、可動部材ＩＩとの角度を９０°とし、可動部材ＩＩと案内部材ＩＩＩの角度を９０°とした場合である。また（２）は、固定用部材Ｉと可動部材ＩＩの角度を１２０°とし、更に可動部材ＩＩと案内部材ＩＩＩとの角度を同様に１２０°と間欠的に回転させた場合である。（３）は、固定用部材Ｉと可動部材ＩＩの角度を１５０°とし、更に可動部材ＩＩと案内部材ＩＩＩとの角度を同様に１５０°と間欠的に回転させた場合である。更に（４）は、固定用部材Ｉ、可動部材ＩＩ及び案内部材ＩＩＩとの角度を共に１８０°として真っ直ぐに伸ばした場合である。このように、可動部材ＩＩ及び案内部材ＩＩＩを自由に動かしてで前方の行きたいところへ行く場合である。また（４）の場合は、固定用部材Ｉ、可動部材ＩＩ及び案内部材ＩＩＩの角度をそれぞれ１８０°として水平にし、ベッドと平行にすることにより、使用者がベッドからの転落を防止するための態様でもある。
【００１２】
図８は、本発明で用いられる補助ケースを示す斜視図である。この補助ケースＶＩは、ベッド柵又はベッドの所望の場所に取り付けて使用するための収納部材である。図８において、上部が開放され、周囲が壁４１で囲まれた箱からなり、その一部側壁に取り付け部４２を有している。またこの取り付け部４２には十文字形のネジ孔を有しており、これにボルト・ナット４４を通して備え付けるようになっている。この補助ケースＶＩには、ティッシュペーパー、体温計、メモ帳等を収納しておくのがよい。必要によっては小型の血圧計なども収納しておくことができる。
【図面の簡単な説明】
【００１３】
【図１】本発明のベッド用柵の全体を示す断面図である。
【図２】本発明で用いられる波型歯を有する案内部材を示す断面図である。
【図３】本発明で用いられる別の形状の案内部材を示す断面図である。
【図４】本発明で用いられる更に別の形状の案内部材を示す断面図である。
【図５】間欠回転機構の別の構造を示す断面図である。
【図６】締め付けネジの各種の構造を示す断面図である。
【図７】各種角度に設定したベッド用柵の平面図である。
【図８】本発明で用いられる補助ケースを示す斜視図である。
【符号の説明】
【００１４】
２  Ｌ形部材
２ａ、４ａ、５ａ、５ｃ、５ｅ  垂直部
２ｂ、３、４、５ｂ、６  水平部又は水平部材
５  棒状部材
５ｄ  傾斜部
８  垂直部脚
９、１８  係合部
１２  、１５  支持部材
１４  支持台
１９  アジャスター
３０、４０  間欠回転嵌合部
３１  嵌合部
３２  可動嵌合部
３３  誘導部材
３４  弾性部材
３５波型嵌合部
３５ａ  可動嵌合部側歯型
３５ｂ  嵌合部側歯型
３６  固定部
３７  貫通孔
３８  ネジ孔
４１  側壁
４２  取り付け部
４３  十文字ネジ孔
４４  ボルト・ナット
９０  締め付けネジ
９１  補助部
９２  ネジ本体
９３  頭部
９４  先端部
９５  回転停止部
９６  停止部材（フランジ）
Ｉ  固定用部材
ＩＩ  可動部材
ＩＩＩ、ＩＶ、Ｖ  案内部材
ＶＩ  補助ケース
【図１】
2005230302.tif 000003
【図２】
2005230302.tif 000004
【図３】
2005230302.tif 000005
【図４】
2005230302.tif 000006
【図５】
2005230302.tif 000007
【図６】
2005230302.tif 000008
【図７】
2005230302.tif 000009
【図８】
2005230302.tif 000010